(57)【要約】【課題】簡単な構成でより広告コンテンツを視聴してもらえる出力装置を提供することを目的とする。【解決手段】本発明にかかる出力装置は、映像を受信する受信部と、受信部により受信された映像に関する映像データを記憶する記憶部と、記憶部に記憶されている映像データを再生する再生部と、再生部により再生された映像を出力する出力部と、出力部により映像が出力されたことを検出する検出部と、を備える。これにより、簡単な構成でより広告コンテンツを視聴してもらえる出力装置を提供できる。【選択図】図１
2015043476.tif 000002
【特許請求の範囲】
【請求項１】
映像を受信する受信部と、
前記受信部により受信された映像に関する映像データを記憶する記憶部と、
前記記憶部に記憶されている映像データを再生する再生部と、
前記再生部により再生された映像を出力する出力部と、
前記出力部により映像が出力されたことを検出する検出部と、を備える、
出力装置。
【請求項２】
前記検出部は、前記出力部により出力された映像のＰＴＳが所定期間連続して出力されたことを検出することで、前記映像が出力されたと検出する、
請求項１に記載の出力装置。
【請求項３】
前記出力部は外部機器に対して映像を出力し、
前記外部機器から該外部機器の状態を示す情報を受信する受信部をさらに備え、
前記検出部は、前記受信部が受信した前記外部機器の状態を示す情報の内容に応じて、前記出力部により映像が出力されたことを検出する、
請求項２に記載の出力装置。
【請求項４】
前記外部機器の状態とは、該外部機器における電源の入り／切りに関する状態である、
請求項３に記載の出力装置。
【請求項５】
前記外部機器の状態とは、使用者により選択されている入力インターフェースに関する状態である、
請求項３に記載の出力装置。
【請求項６】
前記外部機器の状態とは、該外部機器において設定されている音量に関する状態である、
請求項３に記載の出力装置。
【発明の詳細な説明】
【技術分野】
【０００１】
本発明は出力装置に関し、特に、映像を出力する出力装置に関する。
【背景技術】
【０００２】
特許文献１は、コンテンツ記録再生装置を開示する。この記録再生装置は、広告付加データ（ Ｕ Ｒ Ｌ （ U n i f o r m R es o u r c e L o c a t o r） 、Ｑ Ｒ コード（登録商標）（ Q u i c k R e s p o n s e c o d e） 、音声ファイル等のおまけのデータ本体）の広告付加情報を追加して、視聴者の利便性を向上させている。
【先行技術文献】
【特許文献】
【０００３】
【特許文献１】特開２００７−１３５０３３号公報
【発明の概要】
【発明が解決しようとする課題】
【０００４】
しかしながら、上記特許文献１に開示されている記録再生装置においては、広告付加情報を追加したりする必要があり、また、広告の再生に関しても、視聴者の保有する表示装置に表示されているとは限らなかった。
【０００５】
本発明は、簡単な構成でより広告コンテンツを視聴してもらえる出力装置を提供することを目的とする。
【課題を解決するための手段】
【０００６】
上記課題を解決するために、本発明にかかる出力装置は、映像を受信する受信部と、受信部により受信された映像に関する映像データを記憶する記憶部と、記憶部に記憶されている映像データを再生する再生部と、再生部により再生された映像を出力する出力部と、出力部により映像が出力されたことを検出する検出部と、を備える。
【発明の効果】
【０００７】
本発明によれば、簡単な構成でより広告コンテンツを視聴してもらえる出力装置を提供できる。
【図面の簡単な説明】
【０００８】
【図１】システム構成を示すブロック図
【図２】レコーダの構成を示すブロック図
【図３】マイコンの構成を示すブロック図
【図４】番組構成を示す模式図
【図５】広告主から提供される情報を示す模式図
【図６】レコーダが出力する画面を示す模式図
【図７】レコーダが出力する画面を示す模式図
【図８】レコーダが出力する番組表を示す模式図
【図９】ＣＭの視聴ポイントを加算する動作を説明するフローチャート
【発明を実施するための形態】
【０００９】
本発明をレコーダに適用した実施の形態１について図面を参照して説明する。
【００１０】
１．実施の形態１
実施の形態１による、広告配信システムについて説明する。図１は、実施の形態１によるレコーダ１００レコーダ１００を備えた、広告配信システムの全体構成図である。図１において、広告主５００は、大型スーパーなどの広告主であり、放送局６００から放送される放送コンテンツをアンテナで受信するともに、広告主５００とネットワークでつながっている。
【００１１】
放送局６００から放送される放送コンテンツのメタ情報は、サーバ３００に蓄積されており、レコーダ１００レコーダ１００とネットワークでつながっている。また、視聴者は、広告主５００から発行されたカード７００を会員登録したり、ダイレクトメールによって入手する。
【００１２】
視聴者がカード７００をレコーダ１００レコーダ１００に近づける等により、視聴者の確認を得て、広告主５００の情報をレコーダ１００レコーダ１００に入力すると、広告主５００のスポンサーする広告を視聴者に見てもらいやすくレコーダ１００レコーダ１００が動作を開始するものである。
【００１３】
次に、図２を参照し、レコーダ１００レコーダ１００の詳細を説明する。図２は本明細書に記載の各実施の形態におけるレコーダ１００レコーダ１００の構成の詳細を示す図である。レコーダ１００レコーダ１００は、放送コンテンツを録画して、録画した放送コンテンツを再生して、テレビ８００に表示するものである。図２において、レコーダ１００レコーダ１００は、マイコン１４０マイコン１４０によって制御され、チューナ１２０ＢＳ／ＣＳデジタルチューナ１２０を介して放送を受信し、ＨＤＤ１６０ＨＤＤ１６０に録画蓄積される。録画された映像は、マイコン１４０マイコン１４０によって、再生され、ＨＤＭＩ１５０ＨＤＭＩ１５０によって、テレビ８００に出画される。
【００１４】
この時、ＨＤＭＩ１５０ＨＤＭＩ１５０は、ＨＤＭＩ（High Definition Multimedia Interface）対応の信号入力部などで構成されているものである。また、レコーダ１００レコーダ１００は、ＬＡＮ１１０地上波デジタルチューナ１１０によってネットワークに接続され、マイコン１４０マイコン１４０はＢＤドライブ１３０ＬＡＮ１３０に接続され、ＨＤＤ１６０ＨＤＤ１６０に記録された映像をＢＤドライブ１３０ＬＡＮ１３０からディスクに取り出すことができるものである。さらに、レコーダ１００レコーダ１００は、ＮＦＣ１７０を有し、カード７００からの情報をマイコン１４０マイコン１４０に入力することができるものである。
【００１５】
カード７００には、広告主５００を示すデータを含むＩＣチップがうめこまれており、視聴者が、カード７００をレコーダ１００レコーダ１００に近づけることにより、ＮＦＣ１７０を介して、マイコン１４０マイコン１４０に広告主５００の情報を含む情報が送られる。
【００１６】
図３は、実施の形態１におけるマイコン１４０マイコン１４０の詳細を示すブロック図である。マイコン１４０マイコン１４０を機能ごとに、各ブロックに分離して、その制御をコントローラ１４５で行なっている。ＨＤＤ１６０ＨＤＤ１６０に録画された放送コンテンツは、レコーダ１００レコーダ１００のデコーダ１４１により、デコードされ、ベースバンドの映像信号、音声信号に変換される。デコードされた映像音声信号は、再生部１４２により、再生、スキップ、停止などを行なうことができる。デコーダ１４１でデコードした映像音声には、ＰＴＳ(Presentation Time Stamp)が付与されており、このＰＴＳの連続性をマイコン１４０マイコン１４０で監視することにより、スキップされたり、高速で再生されていないことを確認することができる。
【００１７】
レコーダ１００レコーダ１００は、再生部１４２を介して、ＨＤＭＩ１５０ＨＤＭＩ１５０を介して、テレビ８００に出画される。
テレビ８００は、装置電源や表示電源、入力選択が可能であり、ＨＤＭＩ１５０ＨＤＭＩ１５０を介して出力したものが、必ずしも、テレビ８００に表示されるものではない。ＨＤＭＩ１５０ＨＤＭＩ１５０を介してテレビ８００の装置電源や表示電源、入力選択の情報、あるいは、音量情報をレコーダ１００レコーダ１００に通信して得ることにより、テレビ８００に表示されたかどうかを確認することができることとなる。このようにＨＤＭＩ１５０ＨＤＭＩ１５０を介して情報のやりとりを行なう仕組みは、ＣＥＣ（Consumer Electronics Control）として、ＨＤＭＩ規格で定まっているものである。つまり、ＰＴＳの付与された各フレームが連続している時に、ＨＤＭＩ１５０ＨＤＭＩ１５０からのテレビ８００の情報を得て、テレビ８００にそのフレームが表示されていることを確認し、再生が終了するまで、その確認を続けることによって、その映像音声の視聴が完了したことを確認することができる。このようにすることによって、テレビ受信機で受信したと同等の広告効果を得ることができることとなる。
【００１８】
一方、デコーダ１４１でデコードされた映像音声は、記録部１４４にも送られ、エンコーダ１４３により、ＢＤドライブ１３０ＬＡＮ１３０などに記録される。このように、デコーダ１４１で映像音声を記録部１４４を介して、エンコーダ１４３で録画することにより、より圧縮率を高め、一定容量の記録媒体にも記録することができて持ち運ぶことができることとなる。
【００１９】
また、ＨＤＤ１６０ＨＤＤ１６０に記録された映像音声をデコーダ１４１でデコードしても、記録部１４４，エンコーダ１４３を介して、記録フォーマットを変換したり、可搬性を上げることができても、必ずしも、表示装置に出力されるものではない。テレビ８００に表示されたということは、前述のように、ＰＴＳの連続性と、ＨＤＭＩ１５０ＨＤＭＩ１５０からのテレビ８００情報によって得ることができる。この情報（視聴完了情報）は、コントローラ１４５によって収集され、レコーダ１００レコーダ１００内部で計算、照合の処理の後、ＮＦＣ１７０を介してカード７００に出力されたり、ＬＡＮ１１０地上波デジタルチューナ１１０を介して、ネットワークに出力されて活用されることとなる。
【００２０】
レコーダ１００レコーダ１００の行なう広告の視聴情報の収集は、広告主５００と取り決めの上で実施するものであり、単なるデコードや、スキップ早送りの再生では視聴完了とはみなさず、また、レコーダ１００レコーダ１００から出画しても、表示装置に表示していなければ、視聴完了とはみなさないこととする。
【００２１】
次に、図４を用いて、本実施例の動作を説明する。図４は、放送番組の一例を示す。図４において、番組Ａは、放送コンテンツの間に、広告が挿入されている様子を時間的に示している。現在、広告の境目を、デコーダ１４１でデコードした音声データの変化点を検出することにより検出することが可能である。また、そこの放送内容に関しては、放送時間や地域、チャンネルごとに、メーカーや商品名を示すＩＤを付けて放送する方法も考えられるが、今日、それらの情報は、放送メタ情報と呼ばれ、放送時間、地域、チャンネルごとに、そこで放送されている広告それぞれのメーカーや、広告の種類、商品名などを提供するサービスも実用化されている。このサービスは、サービス提供者がコンテンツを実際に視聴して提供しているものもあるが、ＨＤＤ１６０ＨＤＤ１６０に録画された映像音声を再生する際には、利用可能なデータとなっている。
【００２２】
図５に大型スーパーを例にしたスポンサー番組リストを示す。広告主は、図５に示すようなリストをレコーダに提供する。図５には、例えば、広告主たる大型スーパーの直接スポンサーしている番組や、広告主たる大型スーパーの取り扱っている商品のメーカー名や商品名をリスト化したものである。広告は、同一のメーカーの商品名であっても、時期によって異なったり、放送時間によって異なるので、その識別を行なうバージョン番号が必要となる。そのバージョンは、放送内容や放送日時によって検出される。
【００２３】
また、その広告を見た人にあたえられる特典をリスト化している。特典とは、広告主の大型スーパーで一律使用可能な還元金たるポイントであったり、商品ごとの割引き額であったり、付加提供品であったりする。さらに、特典の付与は、広告主のスポンサーするコンテンツを視聴することによって付与されることもあれば、広告主たる大型スーパーの広告や、取り扱っている商品の広告を一定回数見ることによって付与されるものでもいい。また、一定時間広告やコンテンツを視聴することによって付与されるものでもいい。また、広告やコンテンツを視聴する回数に応じて、還元金やポイントを決めてもいい。また、広告主は、同じ商品の広告であっても、バージョンによって、有効期限を設定することができる。図５に示す広告主から提供されるリストは、ネットワークやカード７００を介して、レコーダ１００レコーダ１００に伝えられる。
【００２４】
レコーダ１００レコーダ１００は、図４の広告の内容と、図５の広告主からのリストを照合することにより、どの時間に、かかる広告主のスポンサーする広告が放送されているかを認識することができる。レコーダ１００レコーダ１００は、広告主から提供されるカード７００を介して、レコーダ１００レコーダ１００に情報を入力すると、広告主５００の提供する特典の提供可能な番組、あるいは、スポンサーしている番組の一覧表を作成する。
【００２５】
図６は、レコーダ１００レコーダ１００の表示する、録画番組の一覧表の一例を示す。図６において、録画番組は、タブ２０１、タブ２０２、タブ２０３といったタブで管理されており、例えば、タブ２０１をリモコンで選択することにより、ＨＤＤ１６０ＨＤＤ１６０に録画されたすべての番組を表示することができる。このようなタブは、例えば、録画番組のジャンルごとに用意されたり、新規に録画されたものを集めたり、未視聴のものを集めたり、放送録画番組を集めたりそれ以外の映像を集めたりして、視聴者に情報を整理して提供するものである。
【００２６】
今回、広告主５００のスポンサーする番組をタブ２０２に集めているので、タブ２０１やタブ２０３は、グレーアウトされるなど、タブ２０２を選択していることが視聴者に判明できるようにしている。各タブの中には、録画した番組のリストが表示され、視聴者がリモコンなどで選択することにより、そのリストにしたがって録画コンテンツが再生できることとなる。さらに、各番組のリストには、それぞれ、その番組を再生したかどうかを示す、未視聴マークが付けられる。この未視聴マークは、そのコンテンツに対して、視聴者がリモコンなどで、再生指示を出して再生を開始していないことを示すものである。したがって、視聴者がリモコンなどで、能動的に再生指示を出すことにより、未視聴マークは消えるものである。
【００２７】
また、図６における、番組の一覧表には、広告主広告主５００の提供する対象広告の数が表示される。広告の中には、１５秒おきにながされる映像コンテンツもありえるし、字幕スーパーの形で提供される短いものも含まれる。また、その番組には、対象広告を視聴者が見たことを示す視聴回数が表示される。また、その番組には、対象広告を視聴者が見たことによって還元される、特典の内容が表示される。特典の内容は、今回、広告主たる大型スーパーで利用可能なポイントを例に表示している。さらに、対象広告があっても、この広告が古く、期限切れの場合には、対象広告から除外され、さらには、その番組のすべての対象広告が期限切れの場合には、期限切れの表示をして、リストに表示を行なう。また、番組コンテンツの特定されない時間に放送される広告は、番組コンテンツの無い欄に表示を行なう。
【００２８】
また、対象広告は、図７に示すように、その詳細をリスト化して視聴者に示す。詳細リストは、対象広告をさらに詳しく表示するもので、対象広告の内容、商品名やメーカーを表示し、それぞれの視聴回数を表示し、その視聴回数に応じたポイント数などの特典を表示する。図７における詳細リストから、所定の広告を視聴者がリモコンなどで選択すると、図４の１、２、３といった、広告の先頭から再生することも可能である。次のようにして、すくなくとも従来のテレビ広告にする効果以上の効果を得ることができることとなる。
【００２９】
広告の視聴回数は、前述したように、デコードした映像音声のＰＴＳの連続性を検出するとともに、その映像がＨＤＭＩ１５０ＨＤＭＩ１５０等を介して、テレビなどの映像表示装置に表示されたことを検出するものである。今日、録画コンテンツの再生としても、デコードして、通常再生を行なったとしても、表示装置に出力されたかどうかは不明である。今日、デコードして、通常再生後に録画モードを変換するエンコードを行なうレコーダとなれば、特にその問題が発生する。
【００３０】
図８は、本実施の形態におけるレコーダ１００レコーダ１００の動作を示す図である。図８は、レコーダ１００レコーダ１００の放送を録画する時の番組表を示すものである。レコーダ１００レコーダ１００は、カード７００で認証した広告主のスポンサー番組にマークをつけたり、色をつけることで表示し、レコーダ１００レコーダ１００に録画したり、録画することを視聴者に促すものである。
【００３１】
図９は、本発明の実施の形態を示す、スロー図である。図９において、レコーダ１００レコーダ１００のフローを示す。図６または図７に表示される広告視聴回数は、次のフローによって生成される。再生が開始される（Ｓ１００）、再生した広告が表示装置から出画されたかどうかを確認する（Ｓ１１０）、次に、スポンサーの広告かどうかを確認する。（Ｓ１２０）再生した広告がスポンサーの広告であった場合には、広告を視聴済として、ポイントを加算して終了する（Ｓ１３０）。このようにすることにより、録画された広告をスキップや早送りをされずに、再生され、さらに表示装置に表示されたことを検出して、その情報をレコーダ１００レコーダ１００の外に出力することにより、広告主の広告効果を明示することができ、さらに、視聴者への還元を行なうことができることとなる。
【００３２】
広告の視聴情報は、ＮＦＣを用いて、カード７００に還元され、広告主５００の広告主たる大型スーパーで買い物をする時の割引ポイントとして活用することができることとなる。
また、ポイントの場合、図６または図７のレコーダ１００レコーダ１００の表示にポイント合計が表示され、カード７００に情報を移すことにより、図６または図７の表示ポイントが減少する表示をすることとなる。さらに、コンテンツの再生回数や、広告のスキップ回数、コンテンツとの関係、広告の見る時間帯等のデータをレコーダ１００レコーダ１００の外に出力して活用することにより、広告の効果を測定し、広告の効果を高めることができることとなる。
【００３３】
なお、視聴者が広告を見たという確認をサーバ３００の状態を検出するＨＤＭＩ１５０ＨＤＭＩ１５０を介して、サーバ３００の表示中に出画するとしたが、表示装置の状態とＰＴＳを確認することができれば、ＨＤＭＩ１５０ＨＤＭＩ１５０を介さずに、直接表示装置の表示を確認してもいい。例えば、タブレット装置のように、レコーダ１００レコーダ１００と表示装置が一体のものであれば、このようなことも可能である。また、表示装置と、レコーダ１００レコーダ１００の間で、映像音声の連続性をＰＴＳ等で確認しながら、表示装置の状態を通信して、表示装置側で、視聴情報を作成し、ネットワーク等に出力して活用するものでも構わない。これは、レコーダ１００レコーダ１００で録画した映像音声をタブレットなどに転送して視聴する場合に有効である。
【００３４】
また、テレビ８００に付属のテレビ電話用のカメラや、レコーダ１００レコーダ１００にカメラをつけて、視聴者が該当広告を見ているかを確認したり、カメラによる画像認識によって視聴者を特定してもいい。また、広告は、放送コンテンツの間に挿入されたものとしたが、ネットワークを通じて配信されたものでもよく、また、カード７００のカードやダイレクトメールを介して、直接レコーダ１００レコーダ１００に入力された情報でもよい。また、視聴情報は、カード７００を介してレコーダ１００レコーダ１００の外に出すとしたが、ネットワークを通じて、直接広告主５００にデータを送付して活用してもいい。広告主５００のスポンサーの広告効果を上げるために、図６や図７、図８で示すようなレコーダ１００レコーダ１００の表示、あるいは図示しない表示の場面で、広告主５００の広告やロゴを表示してもいいし、コンテンツ再生中に字幕スーパーのように広告主５００の広告やロゴを表示してもいい。
【００３５】
カード７００などを用いて、レコーダ１００レコーダ１００に広告主５００の広告効果を高める対応を行なう場合には、そのサービスを受ける、受けないの表示とともに、視聴者に判断を促すこととする。広告の視聴情報は、ＰＴＳの連続性を見るとしたが、早送りやスキップボタンが押されていないことを検出してもよい。また、広告付加データ（ Ｕ Ｒ Ｌ （ U n i f o r m R es o u r c e L o c a t o r） 、Ｑ Ｒ コード（登録商標）（ Q u i c k R e s p o n s e c o d e） 、音声ファイル等のおまけのデータ本体）等の広告付加情報を付与した広告であってもかまわない。このように、広告主の提供する広告を認識し、その再生を表示装置への出画確認によって、その広告の視聴を完了とし、そのデータを活用することにより、広告の効果を高め、さらに、視聴者の利便性を高めることができることとなる。
【産業上の利用可能性】
【００３６】
本発明はレコーダやタブレット端末といった出力装置に適用できる。
【符号の説明】
【００３７】
１００    レコーダ
３００    サーバ
５００    広告主
６００    放送局
７００    カード
１１０    ＬＡＮ
１２０    チューナ
１３０    ＢＤドライブ
１４０    マイコン
１５０    ＨＤＭＩ
１６０    ＨＤＤ
１７０    ＮＦＣ
８００    テレビ
１４１    デコーダ
１４２    再生部
１４３    エンコーダ
１４４    記録部
１４５    コントローラ
２０１    タブ
２０２    タブ
２０３    タブ
【図１】
2015043476.tif 000003
【図２】
2015043476.tif 000004
【図３】
2015043476.tif 000005
【図４】
2015043476.tif 000006
【図５】
2015043476.tif 000007
【図６】
2015043476.tif 000008
【図７】
2015043476.tif 000009
【図８】
2015043476.tif 000010
【図９】
2015043476.tif 000011